(57)【要約】      （修正有）【課題】介護用移動具の座接用サイドフレームに設けられている背当て板が被介護人の簡単な動作で被介護人の体形に合わせて自動的に移動出来るようにした背当て移動式介護用移動具を提供する。【解決手段】座接用サイドフレーム２１内に設けられている背当て移動機構体３００の電気的移動通信機構部を操作することにより移動械構部の移動用棒体１が前後動しこれに連結されている背当て板４が前後動し被介護人の体形に当った位置に背当て板４が自動位置決めされる。【選択図】図１
0003209415.tif 000002
【実用新案登録請求の範囲】
【請求項１】
キャスタを有する左右の下部板と、該下部板より立設し上下動可能に形成されている摺動柱機構体と、該摺動柱機構体にその基端側を回動可能に、かつ取り外し可能に連結され後方に向かって張り出して形成されている座接用サイドフレームと、該座接用サイドフレームに基端側を固定され中央側に向かって張り出して連結されているクッション板と、前記摺動柱機構体の上部に配設される把持具等とからなる介護用移動具の前記座接用サイドフレームに配設される背当て移動機構体とからなる背当て移動式介護用移動具であって、前記背当て移動機構体は、背当て板と該背当て板を後側に着脱可能に保持する保持部と該保持部に後端側を連結し前記座接用サイドフレームに前後方向に移動可能に支持される移動用棒体と該移動用棒体を自動的に前後動させるべく形成される電気的移動通信機構部とからなり、前記電気的移動通信機構部は左右の座接用サイドフレームのいずれか一方に前後動用スイッチと電源スイッチを有し、前記スイッチを有する側を親機とし、有さない側を子機と命名し、前記子機は親機よりの通信指令によって親機と同時に作動すべく形成されることを特徴とする背当て移動式介護用移動具。
【考案の詳細な説明】
【技術分野】
【０００１】  本考案は、座接した被介護人の背当てが本人の片手動作によって自動的に前後動出来る背当て移動式介護用移動具に関する。
【背景技術】
【０００２】  図８及び図９に「特許文献１」として同一出願人が出願した介護用移動具が示されている。
この介護用移動具２００は、キャスタ１６を有する下部板１７と、この下部板１７から立ち上がるガイド柱体１８とこれに上下に摺動可能に挿設されている摺動柱体１９とからなる摺動柱機構体２０と、摺動柱機構体２０にその基端側を回動可能に、かつ取り外し可能に連結され後方に向かって張り出して形成されている座接用サイドフレーム２１と、図９に示すように当接用サイドフレーム２１に基端側を固定され中央に向かって張り出して連結されているクッション板２２と、座接用サイドフレーム２１の後端に基端側を固定され後方に向かって張り出し被介護人の背中に当接して保持する背当て板２６等とからなり、左右の摺動柱機構体２０，２０を連結する上部板２３には被介護人が使用時に把持する把持具２４が設けられている。なお、左右の座接用サイドフレーム２１，２１にはこれを回動するためのリリースボタン２５が設けられている。
【先行技術文献】
【特許文献】
【０００３】
【特許文献１】実願２０１６−５１７６号（図２，図３）
【考案の概要】
【考案が解決しようとする課題】
【０００４】  前記の「特許文献１」の「実願２０１６−５１７６号」の介護用移動具２００は前記のようにその背当て板２６は座接用サイドフレーム２１に固定されたものからなる。一方、介護用移動具２００に座接する被介護人としては色々の体形の人に使用されるため背当て板２６が固定されていると不便を感ずる被介護人が存在する。そのためには背当て板２６が被介護人の体形に合わせて移動することが望ましい。しかしながら、被介護人は元々動作が不便の場合が多く、自分自身で自分に合った背当て板２６を交換使用することが難しい。よって、背当て板２６が自動的に移動出来るものが希望される。また、移動動作が簡単に出来ることが望ましい。【０００５】  本考案は、以上の被介護人の望みに対応すべく考案されたものであり、背当て板が自動的に移動出来、かつその動作が簡単に出来る背当て移動式介護用移動具を提供することを目的とするものである。
【課題を解決するための手段】
【０００６】  本考案は、以上の目的を達成するために、請求項１の考案は、キャスタを有する左右の下部板と、該下部板より立設し上下動可能に形成されている摺動柱機構体と、該摺動柱機構体にその基端側を回動可能に、かつ取り外し可能に連結され後方に向かって張り出して形成されている座接用サイドフレームと、該座接用サイドフレームに基端側を固定され中央側に向かって張り出して連結されているクッション板と、前記摺動柱機構体の上部に配設される把持具等とからなる介護用移動具の前記座接用サイドフレームに配設される背当て移動機構体とからなる背当て移動式介護用移動具であって、前記背当て移動機構体は、背当て板と該背当て板を後側に着脱可能に保持する保持部と該保持部に後端側を連結し前記座接用サイドフレームに前後方向に移動可能に支持される移動用棒体と該移動用棒体を自動的に前後動させるべく形成される電気的移動通信機構部とからなり、前記電気的移動通信機構部は左右の座接用サイドフレームのいずれか一方に前後動用スイッチ等と電源スイッチを有し、前記スイッチを有する側を親機とし、有さない側を子機と命名し、前記子機は親機よりの通信指令によって親機と同時に作動すべく形成されることを特徴とする。
【考案の効果】
【０００７】  本考案の請求項１の背当て移動式介護用移動具によれば、左右の座接用サイドフレームのどちらか一方に設けてある前後動用スイッチと電源スイッチを被介護人が座接状態において作動することにより背当て板を自動的に移動させることが出来、自分の体形に合った座接体形を保持することが出来る。これにより安定した使用が可能になる。
【図面の簡単な説明】
【０００８】
【図１】本考案の背当て移動式介護用移動具の全体構造を示す側面図。
【図２】本考案の背当て移動式介護用移動具の全体構造を示す平面図（クッション板の回動状態が示されている）。
【図３】本考案の背当て移動式介護用移動具に使用されている背当て板（一例である）の平面図。
【図４】本考案の背当て移動式介護用移動具における電気的移動通信機構部の概要回路を示すブロック図。
【図５】本考案の背当て移動式介護用移動具の電気的移動通信機構部の座接用サイドフレーム内の概要配列と背当て移動機構体の構造を示す平面図（ａ）と背当て移動機構体の移動構造を示す部分断面図（ｂ）。
【図６】本考案の背当て移動式介護用移動具の電気的移動通信機構部の実際の配列の概要を示す写真。
【図７】本考案の背当て移動式介護用移動具の外観と背当て移動機構体の背当て板との連結構造を示す写真。
【図８】従来の介護用移動具（特許文献１）の全体構造を示す側面図。
【図９】従来の介護用移動具（特許文献１）の全体構造を示す平面図。
【考案を実施するための形態】
【０００９】  以下、本考案の背当て移動式介護用移動具１００の実施の形態を図面を参照して詳述する。
【実施例】
【００１０】  本考案の背当て移動式介護用移動具１００は図１から図７に示されたものからなるが「特許文献１」の実願２０１６−５１７６号に示された部分については同一のものであり、その説明を省略する。従って、以下の説明は主として背当て移動機構体３００について説明する。
この背当て移動機構体３００は背当て板を保持して移動させる移動機構部３００Ａとこれを電気的に移動させるための電気的移動通信機構部３００Ｂとからなる。なお、この実施例は一例であり、夫々の構造や配置等が相異するものも含まれることは勿論である。【００１１】  まず、移動機構部３００Ａを説明する。移動用棒体１は２本の併設した棒体からなり、座接用サイドフレーム２１の内部に配設されている部分と座接用サイドフレーム２１から飛び出して配設されるものからなり２本の移動用棒体１は連結具２により固定されている。また、移動用棒体１の後端には図３に示す背当て板４を着脱自在に保持する保持部３が設けられている。背当て板４は図３に示すように被介護人の背面に当接する当接板４ａと保持部３に挿設するための挿入板部４ｂが設けられている。なお、当接板４ａの形状や材質や硬度等については任意のものでよいが図示では平板状のものが示されている。【００１２】  図５に示されているように電気的移動通信機構部３００Ｂ側のモータ１１には大歯車５が連結し大歯車５には小歯車６が噛合している。この小歯車６には図５（ｂ）に示すようにねじ棒７が連結されねじ棒７は移動用棒体１の内部に固定されているナット８に螺合している。この構造によりモータ１１の回転によりねじ棒７が回転し移動用棒体１が軸線方向に移動し保持部３が同時に移動する。これによって保持部３に挿設されている背当て板４が移動することになる。【００１３】  電気的移動通信機構部３００Ｂは図７に示すように座接用サイドフレーム２１の外部に操作部が突出して配設されている前後動用スイッチ９と電源スイッチ１０と図４乃至図６等に示す電子的構成品とからなる。
この電子的構成品としてはモータ１１、このリミットスイッチ１２，リチウムイオンバッテリ１３，フォトモス回路１４，通信用チップ１５等とからなり、前後動用スイッチ９と電源スイッチ１０が設けられている側が親機と命名し別のものを子機と命名する。
これ等の構成品の電気的作用については詳細説明は省略するが概要としては次のものからなる。なお、親機からは通信信号が発せられ、これによって子機が作動するものであることは当然であり、この通信方法の詳細説明も省略する。【００１４】  通信方法としては２．４ＧＨ２の双方向で電波認証は国内，海外で認証されたものを使用している。３２ｂｉｔのマイコン，４ボートのデジタルＩ／θ，４ボートのアナログＩ／θが使用可能。
通信関係の電源は単３電池２本（ＤＣ３ｖ），動力用電源はリチウムイオン３本（ＤＣ１１．１ｖ）を使用，通信用電源は無交換で約３本（条件により変更），動力用電源は充電式。【００１５】  本考案の背当て移動式介護用移動具の使用方法としては電源スイッチ１０をＯＮにし親機の前後動用スイッチ９を作動し移動用棒体１の前後進を選択して背当て板４の前後進を合う。リミットスイッチ１２により前後動位置がコントロールされ安全である。
親機よりの通信により子機が同時作動し、円滑な背当て板４の前後動が出来る。【００１６】  本考案は以上の説明の内容のものからなるが、それに限定するものではなく同一技術的範疇のものが適用されることは勿論である。
【産業上の利用可能性】
【００１７】  本考案の背当て移動式介護用移動具はここでは介護用移動具に適用されたがこれに限定するものではなく、その他の自動電子的移動機構体にも適用可能であり、その利用範囲は極めて広い。
【符号の説明】
【００１８】  １        移動用棒体
２        連結具
３        保持部
４        背当て板
４ａ      当接板
４ｂ      挿入板部
５        大歯車
６        小歯車
７        ねじ棒
８        ナット
９        前後動用スイッチ
１０      電源スイッチ
１１      モータ
１２      リミットスイッチ
１３      リチウムイオンバッテリ
１４      フォトモス回路
１５      通信用チップ
１６      キャスタ
１７      下部板
１８      ガイド柱体
１９      摺動柱体
２０      摺動柱機構体
２１      座接用サイドフレーム
２２      クッション板
２３      上部板
２４      把持具
２５      リリースボタン
２６      背当て板
１００    背当て移動式介護用移動具
２００    介護用移動具
３００    背当て移動機構体
３００Ａ  移動機構部
３００Ｂ  電気的移動通信機構部
【図１】
0003209415.tif 000003
【図２】
0003209415.tif 000004
【図３】
0003209415.tif 000005
【図４】
0003209415.tif 000006
【図５】
0003209415.tif 000007
【図６】
0003209415.tif 000008
【図７】
0003209415.tif 000009
【図８】
0003209415.tif 000010
【図９】
0003209415.tif 000011